(57)【要約】【課題】内部の絶縁性を容易に確保できるソケットを提供すること。【解決手段】ソケットが、箱状の第１ハウジングと、第１ハウジングに取り付けられた第２ハウジングとを備える。第１ハウジングが、開口面に交差する幅方向に延びると共に電線の導体部を固定するねじ部材を挿入可能な第１開口部を有する第１壁部と、開口面および第１壁部に交差する方向に延びると共に電線の導体部を挿抜可能な第２開口部を有する第２壁部とを有し、第２ハウジングが、開口面を覆う第２ハウジング本体と、第２ハウジング本体から幅方向に延びて幅方向において第１ハウジングに係止する係止腕部とを有する。【選択図】図１
2019160642.tif 000002
【特許請求の範囲】
【請求項１】
開口面を有する箱状の第１ハウジングと、
前記開口面を覆うように前記第１ハウジングに取り付けられた第２ハウジングと
を備え、
前記第１ハウジングが、
前記開口面に交差する幅方向に延びると共に、電線の導体部を固定するねじ部材を挿入可能な第１開口部を有する第１壁部と、
前記開口面および前記第１壁部に交差する方向に延びると共に、前記電線の前記導体部を挿抜可能な第２開口部を有する第２壁部と
を有し、
前記第２ハウジングが、
前記開口面を覆う第２ハウジング本体と、
前記第２ハウジング本体から前記幅方向に延びて、前記幅方向において前記第１ハウジングに係止する係止腕部と
を有する、ソケット。
【請求項２】
前記係止腕部が、前記第１開口部の近傍でかつ前記第１壁部および前記第２壁部の間に配置されている、請求項１のソケット。
【請求項３】
前記第２ハウジングが、前記係止腕部の前記幅方向における前記第２ハウジング本体から遠い方の端部に前記第２ハウジング本体に対向するように設けられた係止爪部を有し、
前記第１ハウジングの前記第１壁部が、前記係止爪部を係止する係止凹部を有している、請求項２のソケット。
【請求項４】
前記係止爪部が、前記第２ハウジング本体に対向する部分に設けられ、前記係止腕部から離れるに従って、前記幅方向でかつ前記第２ハウジング本体から離れる方向に傾斜する傾斜面を有する、請求項３のソケット。
【発明の詳細な説明】
【技術分野】
【０００１】
本開示は、ソケットに関する。
【背景技術】
【０００２】
特許文献１には、ＤＩＮレールに保持可能なリレー端子台が開示されている。このリレー端子台は、端子板、座金およびねじで構成された複数の端子部を有する略直方体状の基台を備えている。前記リレー端子台では、基台は、略矩形板状のベースと、このベースの板面の一方を覆う箱状のケースとで構成され、このケースのベースに対向する上面に、複数の端子部が設けられている。
【先行技術文献】
【特許文献】
【０００３】
【特許文献１】特開２０１４−１５００１４号公報
【発明の概要】
【発明が解決しようとする課題】
【０００４】
ところで、前記端子台を薄型化する場合、例えば、生産性向上の観点から、開口面を有する箱状のベースと、開口面を覆うようにベースに取り付けられたカバーとで基台を構成することが考えられる。
【０００５】
この端子台において、端子部のねじを治具等で回転操作するとき、ねじの回転軸に対して傾いた方向からの意図しない力が、ベースまたはカバーに加わる場合がある。この場合、端子部近傍でベースとカバーとの間に隙間が生じ、この隙間を介して基台の内部と外部とが連通するので、基台内部の絶縁性の確保が困難になるおそれがある。
【０００６】
本開示は、内部の絶縁性を確保できるソケットを提供することを課題とする。
【課題を解決するための手段】
【０００７】
本開示の一例のソケットは、
開口面を有する箱状の第１ハウジングと、
前記開口面を覆うように前記第１ハウジングに取り付けられた第２ハウジングと
を備え、
前記第１ハウジングが、
前記開口面に交差する幅方向に延びると共に、電線の導体部を挿抜可能な第１開口部を有する第１壁部と、
前記開口面および前記第１壁部に交差する方向に延びると共に、前記電線の前記導体部を固定するねじ部材を挿入可能な第２開口部を有する第２壁部と
を有し、
前記第２ハウジングが、
前記開口面を覆う第２ハウジング本体と、
前記第２ハウジング本体から前記幅方向に延びて、前記幅方向において前記第１ハウジングに係止する係止腕部と
を有する。
【発明の効果】
【０００８】
前記ソケットによれば、箱状の第１ハウジングと、第１ハウジングに取り付けられた第２ハウジングとを備え、第２ハウジングが、第２ハウジング本体と、第２ハウジング本体から幅方向に延びて、幅方向において第１ハウジングに係止する係止腕部とを有している。この係止腕部により、第１ハウジングまたは第２ハウジングに両部材を互いに離すような外力が加えられたとしても、第１ハウジングと第２ハウジングとの間に意図しない隙間ができるのを防ぐことができるので、内部の絶縁性を確保できるソケットを実現できる。
【図面の簡単な説明】
【０００９】
【図１】本開示の一実施形態のソケットを示す斜視図。
【図２】図１のソケットの第２ハウジングを取り外した状態の斜視図。
【図３】図１のソケットの上面図。
【図４】図１のソケットの電線接続部の部分拡大斜視図。
【図５】図１のソケットの図４とは異なる方向から見た電線接続部の部分拡大斜視図。
【発明を実施するための形態】
【００１０】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１１】
本開示の一実施形態のソケット１は、図１に示すように、細長い箱状の第１ハウジングの一例のベース１０と、このベース１０に取り付けられた第２ハウジングの一例のケース２０とを備えている。ベース１０は、図２に示すように、ベース開口部１２が設けられた開口面１１を有している。ケース２０は、この開口面１１のベース開口部１２を覆うように、ベース１０に取り付けられている。
【００１２】
ベース１０は、図１に示すように、開口面１１に交差（例えば、直交）する第１側面１０１と、この第１側面１０１に相対する第２側面１０２とを有している。第１側面１０１および第２側面１０２の各々は、第１側面１０１および第２側面１０２に交差（例えば、直交）する方向から見て、略矩形状を有している。
【００１３】
図３に示すように、ベース１０の第１側面１０１のその長手方向の略中央には、電磁継電器などの電子機器を接続可能な機器接続部１３が設けられている。また、この機器接続部１３の第１側面１０１の長手方向における両側には、それぞれ電線を接続可能な電線接続部１４が設けられている。電線接続部１４は、一例として、複数設けられており、第１側面１０１の長手方向沿いを等間隔で一列に並んで配置されている。
【００１４】
なお、機器接続部１３に対する第１側面１０１の長手方向の一方側（すなわち、図３の左側）には、２つの電線接続部１４が配置され、機器接続部１３に対する第１側面１０１の長手方向の他方側（すなわち、図３の右側）には、３つの電線接続部１４が配置されている。
【００１５】
図２に示すように、機器接続部１３には、例えば、電磁継電器の端子を接続可能な第１端子接続部１３０が設けられている。また、各電線接続部１４には、電線の導体部を接続可能な第２端子接続部１４０が設けられている。第１端子接続部１３０と第２端子接続部１４０とは、ベース１０およびケース２０の内部で、電気的に接続されている。
【００１６】
各電線接続部１４は、図４に示すように、開口面１１に交差する幅方向Ｗに延びる第１壁部１４１と、開口面１１および第１壁部１４１に交差する方向に延びる第２壁部１４２とを有している。すなわち、ベース１０は、第１壁部１４１および第２壁部１４２を有している。
【００１７】
第１壁部１４１は、電線の導体部を固定するねじ部材１５（図３に示す）を挿入可能な略円形状の第１開口部１４３と、後述するケース２０の係止爪部２３が係止される係止凹部１４５とを有している。また、第２壁部１４２は、電線の導体部を挿抜可能な略矩形状の第２開口部１４４を有している。なお、第１開口部１４３および第２開口部１４４の形状は、ソケット１の設計等に応じて任意の形状を採用できる。
【００１８】
また、図１に示すように、ベース１０の第２側面１０２の長手方向の両端部には、ベース１０をレール（例えば、ＤＩＮレール）に係止可能に構成された第１係止部１６および第２係止部１７がそれぞれ設けられている。
【００１９】
ケース２０は、図１に示すように、ベース１０の開口面１１のベース開口部１２を覆うケース本体２１（第２ハウジング本体の一例）と、ケース本体２１に設けられた係止腕部２２とを有している。係止腕部２２は、一例として、ケース本体２１の縁部に複数設けられ、ケース本体２１におけるベース１０の電線接続部１４に対応する位置にそれぞれ配置されている。
【００２０】
図４に示すように、各係止腕部２２は、第１開口部１４３の近傍でかつ電線接続部１４の第１壁部１４１および第２壁部１４２の間に配置されている。すなわち、各電線接続部１４の第１壁部１４１および第２壁部１４２は、各係止腕部２２を介して隣接している。
【００２１】
詳しくは、各係止腕部２２は、略矩形板状を有し、幅方向Ｗに延びる側面の一方が第１壁部１４１と略面一に配置され、板面の一方が第２壁部１４２と略面一に配置されている。また、各係止腕部２２の幅方向Ｗに延びる側面の他方は、第２開口部１４４の一辺を構成している。
【００２２】
また、図４に示すように、各係止腕部２２は、ケース本体２１から幅方向Ｗに延びて、幅方向Ｗにおいてベース１０に係止するように構成されている。詳しくは、各係止腕部２２の幅方向Ｗにおけるケース本体２１から遠い方の端部に、ケース本体２１に対向するように設けられた係止爪部２３が設けられている。この係止爪部２３は、ベース１０の各電線接続部１４に設けられ係止凹部１４５に係止可能に構成されている。
【００２３】
係止爪部２３は、図５に示すように、第１側面１０１の長手方向における係止腕部２２から遠い方の端部に、傾斜面２３１、２３２を有している。傾斜面２３１は、係止爪部２３のケース本体２１に対向する部分（すなわち、幅方向Ｗにおいて係止凹部１４５に対向する面）に設けられ、係止腕部２２から第１側面１０１の長手方向に沿って離れるに従って、幅方向Ｗでかつケース本体２１から離れる方向に傾斜している。また、傾斜面２３２は、係止爪部２３の傾斜面２３１が設けられている面の幅方向Ｗにおける反対側の面に設けられ、係止腕部２２から第１側面１０１の長手方向に沿って離れるに従って、幅方向Ｗでかつケース本体２１に接近する方向に傾斜している。
【００２４】
前記ソケット１によれば、箱状のベース１０と、ベース１０に取り付けられたケース２０とを備え、ケース２０が、ケース本体２１と、ケース本体２１から幅方向Ｗに延びて、幅方向Ｗにおいてベース１０に係止する係止腕部２２とを有している。この係止腕部２２の係止により、ベース１０またはケース２０に両部材を互いに離すような外力が加えられたとしても、ベース１０とケース２０との間に意図しない隙間ができるのを防ぐことができるので、内部の絶縁性を確保できるソケット１を実現できる。
【００２５】
また、係止腕部２２が、第１開口部１４３の近傍でかつ第１壁部１４１および第２壁部１４２の間に配置されている。これにより、係止腕部２２がより確実にベース１０に係止することができるので、ベース１０またはケース２０に両部材を互いに離すような外力が加えられたとしても、ベース１０とケース２０との間に意図しない隙間ができるのをより確実に防ぐことができる。
【００２６】
また、ケース２０が、係止腕部２２の幅方向Ｗにおけるケース本体２１から遠い方の端部にケース本体２１に対向するように設けられた係止爪部２３を有し、ベース１０の第１壁部１４１が、係止爪部２３を係止する係止凹部１４５を有している。この係止爪部２３により、簡単な構成で、ベース１０とケース２０との間に意図しない隙間ができるのを防ぐことができる。
【００２７】
また、係止爪部２３が、ケース本体２１に対向する部分に設けられ、係止腕部２２から離れるに従って、幅方向Ｗでかつケース本体２１から離れる方向に傾斜する第１傾斜面２３１を有している。係止爪部２３をベース１０に係止するときに、第１傾斜面２３１をベース１０に対して摺動させることができるので、ケース２０をベース１０に容易に取り付けることができ、ソケット１の生産性を高めることができる。
【００２８】
なお、係止腕部２２は、第１開口部１４３の近傍でかつ第１壁部１４１および第２壁部１４２の間に配置されている場合に限らない。係止腕部２２は、ケース本体２１の幅方向Ｗにおいてベース１０に係止可能な任意の位置に配置できる。
【００２９】
ベース１０およびケース２０の各々は、係止爪部２３および係止凹部１４５をそれぞれ有する場合に限らず、係止腕部２２が幅方向Ｗにおいてベース１０に係止する任意の構成を採用できる。
【００３０】
また、本開始は、前記ソケット１では、ベース１０が第１ハウジングを構成し、ケース２０が第２ハウジングを構成しているが、これに限らない。例えば、ケースが第１ハウジングを構成し、ベースが第２ハウジングを構成するようにしてもよい。すなわち、ケースが係止腕部を有するように構成してもよい。
【００３１】
係止爪部２３の傾斜面２３１、２３２は、省略できる。
【００３２】
以上、図面を参照して本開示における種々の実施形態を詳細に説明したが、最後に、本開示の種々の態様について説明する。なお、以下の説明では、一例として、参照符号も添えて記載する。
【００３３】
本開示の第１態様のソケット１は、
開口面１１を有する箱状の第１ハウジング１０と、
前記開口面１１を覆うように前記第１ハウジング１０に取り付けられた第２ハウジング２０と
を備え、
前記第１ハウジング１０が、
前記開口面１１に交差する幅方向Ｗに延びると共に、電線の導体部を固定するねじ部材１５を挿入可能な第１開口部１４３を有する第１壁部１４１と、
前記開口面１１および前記第１壁部１４１に交差する方向に延びると共に、前記電線の前記導体部を挿抜可能な第２開口部１４４を有する第２壁部１４２と
を有し、
前記第２ハウジング２０が、
前記開口面１１を覆う第２ハウジング本体２１と、
前記第２ハウジング本体２１から前記幅方向Ｗに延びて、前記幅方向Ｗにおいて前記第１ハウジング１０に係止する係止腕部２２と
を有する。
【００３４】
第１態様のソケット１によれば、係止腕部２２により、第１ハウジング１０または第２ハウジングに両部材を互いに離すような外力が加えられたとしても、第１ハウジング１０と第２ハウジング２０との間に意図しない隙間ができるのを防ぐことができるので、内部の絶縁性を確保できるソケット１を実現できる。
【００３５】
本開示の第２態様のソケット１は、
前記係止腕部２２が、前記第１開口部１４３の近傍でかつ前記第１壁部１４１および前記第２壁部１４２の間に配置されている。
【００３６】
第２態様のソケット１によれば、係止腕部２２がより確実に第１ハウジング１０に係止することができるので、第１ハウジング１０または第２ハウジング２０に両部材を互いに離すような外力が加えられたとしても、第１ハウジング１０と第２ハウジング２０との間に意図しない隙間ができるのをより確実に防ぐことができる。
【００３７】
本開示の第３態様のソケット１は、
前記第２ハウジング２０が、前記係止腕部２２の前記幅方向Ｗにおける前記第２ハウジング本体２１から遠い方の端部に前記第２ハウジング本体２１に対向するように設けられた係止爪部２３を有し、
前記第１ハウジング１０の前記第１壁部１４１が、前記係止爪部２３を係止する係止凹部１４５を有している。
【００３８】
第３態様のソケットによれば、係止爪部２３により、簡単な構成で、第１ハウジング１０と第２ハウジング２０との間に意図しない隙間ができるのを防ぐことができる。
【００３９】
本開示の第４態様のソケット１は、
前記係止爪部２３が、前記第２ハウジング本体２１に対向する部分に設けられ、前記係止腕部２２から離れるに従って、前記幅方向Ｗでかつ前記第２ハウジング本体２１から離れる方向に傾斜する傾斜面２３１を有する。
【００４０】
第４態様のソケット１によれば、係止爪部２３をベース１０に係止するときに、第１傾斜面２３１をベース１０に対して摺動させることができるので、第２ハウジング２０を第１ハウジング１０に容易に取り付けることができるので、ソケット１の生産性を高めることができる。
【００４１】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００４２】
本開示のソケットは、例えば、制御盤に用いることができる。
【符号の説明】
【００４３】
１  ソケット
１０  ベース
１０１  第１側面
１０２  第２側面
１１  開口面
１２  ベース開口部
１３  機器接続部
１３０  第１端子接続部
１４  電線接続部
１４０  第２端子接続部
１４１  第１壁部
１４２  第２壁部
１４３  第１開口部
１４４  第２開口部
１４５  係止凹部
１５  ねじ部材
１６  第１係止部
１７  第２係止部
２０  ケース
２１  ケース本体
２２  係止腕部
２３  係止爪部
２３１  第１傾斜面
２３２  第２傾斜面
【図１】
2019160642.tif 000003
【図２】
2019160642.tif 000004
【図３】
2019160642.tif 000005
【図４】
2019160642.tif 000006
【図５】
2019160642.tif 000007